(57)【要約】【課題】安全で実用性に富んだ折畳み式松葉杖を提供する。【解決手段】グリップ部Ａと上桿５間に摺動片Ａ２の雄歯溝Ａ２１と固定片Ａ３の雌歯溝Ａ３２とを設け、固定回転盤Ａ６でこれらを噛み合わせたり離したりして該グリップ部Ａの高低を調整し、また該グリップ部Ａの下方には折畳み関節部Ｂを設けて折畳めるようにし、杖の先端には伸縮桿部Ｄを設け、これを収縮できるようにすることで所望の高さに調整を行えるようにし、且つ引き金式ストッパーＤ３が該伸縮桿部Ｄ使用時に内側に伸縮してしまうのを防止する。【選択図】　　　　図２
0003098689.tif 000002
【実用新案登録請求の範囲】
【請求項１】
グリップ部と折畳み関節と伸縮桿部とより構成される折畳み式松葉杖において、
前記グリップ部は、上桿，ボルト，摺動片，固定片，グリップ及び固定回転盤とより構成され、該ボルトが該摺動片のボルトホール，固定片の摺動溝，グリップのボルトホール，グリップのもう一方の固定片，摺動片，固定回転盤の順に穿入され、錨が該固定片の錨孔，摺動片，固定回転盤の順で穿設されて該摺動片の雄歯溝と固定片の雌歯溝の着脱が行われ、
前記折畳み関節は、上桿と上軸と下軸とＹ字型桿、及び一端に左ねじ、もう一端に右ねじの設けられた回転軸より構成され、該左ねじと右ねじがそれぞれ該下軸の挿孔と該上軸の挿孔上に挿入されて該上軸の雄歯溝と該下軸の雌歯溝とが相互に噛み合わされ、該右ねじの設置された上軸挿孔は該回転軸の右ねじ至端に固定され、該左ねじの設置された上軸挿孔は該回転軸の右ねじ至端に固定され、これらが接合されて該上軸の上凸桿が該上桿上に嵌合され、該下軸の下凸桿が該Ｙ字型桿中に嵌入され、該Ｙ字型桿の曲折部にまで至らせて強化されていて、
前記伸縮桿部は、下桿，引き金式ストッパー，制動リング，伸縮桿より構成され、該制動リング内に設けられた雌ねじが該伸縮桿の雄ねじと螺設され、該制動リングには引き金式ストッパーが設けられていることで該制動リングの隙間を広げたり閉じたりさせるが、該制動リングが開いている際は即ち該伸縮桿が移動できて高度の調整をする状態となり、逆に該制動リングが閉じた状態であるときは、固定されていることを特徴とする折畳み式松葉杖。
【請求項２】
前記折畳み関節は、互いに反対向きを呈した一対のねじ（螺旋）の組み合わせによるものであり、回転軸が単一方向に回転して、両端の雌歯溝を同時に緩めたり固定すべく噛み合わせたりすることを特徴とする請求項１記載の折畳み式松葉杖。
【請求項３】
前記折畳み関節の構造において、前記下凸桿の長さは前記Ｙ字型桿の曲折部にまで至っていることで、強度が高められていることを特徴とする請求項１記載の折畳み式松葉杖。
【請求項４】
前記制動リングを開いて緩めると前記伸縮桿が移動して高度の調整を行える状態となり、また該制動リングを閉めることでは該伸縮桿が固定されることを特徴とする請求項１記載の折畳み式松葉杖。
【考案の詳細な説明】
【０００１】
【考案の属する技術分野】
本考案は、折畳み式松葉杖に係り、特に高度の調整の利くグリップ部、並びに収納時に折畳める折畳み関節、及び杖の先端部に設けられて長さの調整ができる伸縮桿部を具有し、折畳みや高度の調整に便利な折畳み式松葉杖の技術分野に属する。
【０００２】
【従来の技術】
図１に示すように、公知における松葉杖の構造において以下に記す。
主に上桿１，下桿２，伸縮桿３とより構成されており、グリップ部４の構造においては、ねじ４３，グリップ４２，ナット４１とより構成されている。
上述のような公知における松葉杖の使用において、該グリップ４２の高さを調整する際には、該グリップ部４を完全に取り外して使用者の所望の高さに合わせ、該グリップ部４を該固定孔１１中に設置する。該伸縮桿３調整時にはプッシュ引き金式ストッパー３１を押し、同時に該伸縮桿３を押すか或いは引っ張るなどの動作により長さの調整を行い、該プッシュ引き金式ストッパー３１は該下桿２の固定孔２１中にて固定されるようになっている。
【０００３】
【考案が解決しようとする課題】
上述のような従来公知における松葉杖には、次に述べるように、未だ解決されていない欠点がある。
先ず使用の際において、グリップ部や収縮桿の高低を調整する際、負傷している者が使用するには操作上困難であり、また微調整が効かない。
更に携帯や収納にも場所をとり、特にバイクや自転車に載せて運搬する際は、杖の先がタイヤに巻き込まれるなどの危険性も考えられる。
そこで、本考案は、上述の欠点に鑑み、その課題は、安全で実用性に富んだ本考案の折畳み式松葉杖を提供するものである。
【０００４】
【課題を解決するための手段】
前記課題を解決するために、請求項１の考案は、グリップ部と折畳み関節と伸縮桿部とより構成される折畳み式松葉杖において、前記グリップ部は、上桿，ボルト，摺動片，固定片，グリップ及び固定回転盤とより構成され、該ボルトが該摺動片のボルトホール，固定片の摺動溝，グリップのボルトホール，グリップのもう一方の固定片，摺動片，固定回転盤の順に穿入され、錨が該固定片の錨孔，摺動片，固定回転盤の順で穿設されて該摺動片の雄歯溝と固定片の雌歯溝の着脱が行われ、前記折畳み関節は、上桿と上軸と下軸とＹ字型桿、及び一端に左ねじ、もう一端に右ねじの設けられた回転軸より構成され、該左ねじと右ねじがそれぞれ該下軸の挿孔と該上軸の挿孔上に挿入されて該上軸の雄歯溝と該下軸の雌歯溝とが相互に噛み合わされ、該右ねじの設置された上軸挿孔は該回転軸の右ねじ至端に固定され、該左ねじの設置された上軸挿孔は該回転軸の右ねじ至端に固定され、これらが接合されて該上軸の上凸桿が該上桿上に嵌合され、該下軸の下凸桿が該Ｙ字型桿中に嵌入され、該Ｙ字型桿の曲折部にまで至らせて強化されていて、前記伸縮桿部は、下桿，引き金式ストッパー，制動リング，伸縮桿より構成され、該制動リング内に設けられた雌ねじが該伸縮桿の雄ねじと螺設され、該制動リングには引き金式ストッパーが設けられていることで該制動リングの隙間を広げたり閉じたりさせるが、該制動リングが開いている際は即ち該伸縮桿が移動できて高度の調整をする状態となり、逆に該制動リングが閉じた状態であるときは、固定されていることを特徴とする折畳み式松葉杖である。
請求項２の考案は、前記折畳み関節は、互いに反対向きを呈した一対のねじ（螺旋）の組み合わせによるものであり、回転軸が単一方向に回転して、両端の雌歯溝を同時に緩めたり固定するべく噛み合わせたりすることを特徴とする請求項１記載の折畳み式松葉杖である。
請求項３の考案は、前記折畳み関節の構造において、前記下凸桿の長さは前記Ｙ字型桿の曲折部にまで至っていることで、強度が高められていることを特徴とする請求項１記載の折畳み式松葉杖である。
請求項４の考案は、前記制動リングを開いて緩めると前記伸縮桿が移動して高度の調整を行える状態となり、また該制動リングを閉めることでは該伸縮桿が固定されることを特徴とする請求項１記載の折畳み式松葉杖である。
すなわち、前記各考案は、上桿，ボルト，摺動片，固定片，グリップ，固定回転盤を含むグリップ部、並びに折畳み関節と伸縮桿とより構成し、該ボルトを摺動片のボルトホール，固定片の摺動溝，該グリップのボルトホール，該グリップのもう一方の固定片，該摺動片及び固定回転盤の順で穿入し、錨によって該固定片の錨孔を穿設して該上桿の溝の錨孔上に固定し、使用の際には該摺動片の雄歯溝と該固定片の雌歯溝を該固定回転盤で噛み合わせたり取り外したりすることで使用者の所望の高さに該グリップを調整し、また該歯槽の構造においては、微細な調整が効くように、該折畳み関節を上桿，上軸，下軸，回転軸，Ｙ字型桿とより構成し、携帯や収納時に折畳めるようになっており、同時に該下軸を該Ｙ字型桿の曲折部にまで至らせることで構造を強化して安全性を高めており、該伸縮桿部の構造においては、下桿，引き金式ストッパー，制動リング，伸縮桿より構成し、該伸縮桿をねじ方式により、該下桿内に収縮できるようにすることで所望の高さに調整を行えるようにし、且つ該引き金式ストッパーが該伸縮桿使用時に内側に伸縮してしまうのを防止する。
【０００５】
【考案の実施の形態】
本考案の実施例を図面に沿って説明する。
本実施例は、図２に示すように、主に上桿５，Ｙ字型桿６，下桿７，グリップ部Ａ，折畳み関節部Ｂ，結合桿Ｃ，伸縮桿Ｄより構成されている。
該グリップ部Ａは該グリップＡ５の高低を調整するものであり、該折畳み関節部Ｂは松葉杖が収納や携帯に便利になるよう折畳める構成を有しており、該伸縮桿Ｄは使用者の身長に併せて松葉杖の高さを調整する個所であり、該引き金式ストッパーＤ３は該伸縮桿Ｄ１が使用中に収縮するのを防止している。
【０００６】
前記の更に詳しい構成を説明するが、図３に示すように、該グリップ部Ａは該上桿５，ボルトＡ１，摺動片Ａ２，固定片Ａ３，グリップＡ５及び固定回転盤Ａ６より構成されており、その構造においては、該ボルトＡ１を順に該摺動片Ａ２のボルトホールＡ２２，固定片Ａ３の摺動溝Ａ３３，ブリップＡ５のボルトホールＡ５１及びグリップＡ５のもう一方の固定片Ａ３，摺動片Ａ２，固定回転盤Ａ６に穿入させる。
このとき錨Ａ４を該固定片Ａ３の錨孔Ａ３１に穿設し、該上桿５の溝５１の錨孔５２上にて固定する。また該摺動片Ａ２の雄歯溝Ａ２１と固定片Ａ３の雌歯溝Ａ３２を該固定回転盤Ａ６にてその着脱（噛み合わせ及び分解）を行う。
【０００７】
図４に示すように、該折畳み関節Ｂは、該上桿５，上軸Ｂ１，下軸Ｂ２，回転軸Ｂ５とＹ字型桿６とより構成される。この構造においては、該回転軸Ｂ５の一端が左ねじＢ３となっており、もう一端が右ねじＢ４となっており、該下軸Ｂ２の挿孔Ｂ２３及び上軸Ｂ２の挿孔Ｂ１５に挿し込み、該上軸Ｂ１の雄歯溝Ｂ１１と下軸Ｂ２の雌歯溝Ｂ２１とを相互に噛み合わせる。このとき、該上軸Ｂ１の挿孔Ｂ１６は右ねじＢ１３と左ねじＢ１４とを含み、該右ねじＢ１３が設けられた上軸Ｂ１の挿孔Ｂ１５を回転させて該回転軸Ｂ５の右ねじＢ３至端に固定する。
該左ねじＢ１３の上軸Ｂ１の挿孔Ｂ１５を該回転軸Ｂ５の右ねじＢ４端に回転させて固定し、接合されたら該上軸Ｂ１の上凸桿Ｂ１２を該上桿５中に嵌入し、該下軸の下凸桿Ｂ２２は該Ｙ字型桿６中に嵌入し、また構造強化のため該Ｙ字型桿６の折曲がり個所６１上にまで延伸させる。
【０００８】
図５に示すように、該結合桿Ｃにおいて説明すると、Ｙ字型桿６は下向きに延伸して曲折部６１に達した後、該Ｙ字型桿６を構成する二本の桿がプレスなどにより圧合されており、該Ｙ字型桿６の圧合された個所が下桿７の最上部と連結され、錨８によって固定されている。
図６に示すように、該伸縮桿部Ｄは、下桿７，引き金式ストッパーＤ３，制動リングＤ２及び伸縮桿Ｄ１より構成されており、その構造においては該制動リングＤ２の最上端に該下桿７の底部を連結するのであるが、該制動リングＤ２内には雌ねじＤ４が設けられており、該伸縮桿Ｄ１の雄ねじＤ５と相互に螺設されるようになっており、該制動リングＤ２に設けられた引き金式ストッパーＤ３により該制動リングＤ２の隙間Ｄ７を広げたり閉じたりする個所が設けられている。
【０００９】
図７，８に示すように、該グリップＡ５の高さを調整しようとする際、該固定回転盤Ａ６を回転させ、該摺動片Ａ２の雄歯溝Ａ２１から該固定片Ａ３の雌歯溝Ａ３２を取り外して隙間Ａ７を形成してグリップＡ５を高さの調整ができる状態にする。該ボルトＡ１は該固定片Ａ３の摺動溝Ａ３３内にて移動し、該グリップＡが該上桿５より外れないようにしており、高さの調整が終わったら該固定回転盤Ａ６を回転させてきつく固定し、該摺動片Ａ２の雄歯溝Ａ２１と固定片Ａ２の雌歯溝Ａ３２とが相互に噛み合うようにし、該グリップＡ５が該固定片Ａ３上に固定されるようにする。
【００１０】
図４，９，１０に示すように、本考案の実施例の松葉杖を直立させる、或いは折畳むとき、該回転軸Ｂ５の一端は右ねじＢ３であることから該上軸Ｂ１の挿孔Ｂ１５の右ねじ孔Ｂ１３と接合され、またもう一端は左ねじＢ４であることから該上軸Ｂ１の挿孔Ｂ１５の右螺旋Ｂ１４と接合される。該化移転軸Ｂ５を回転させると、該上軸Ｂ１は徐々に外側に向かって移動をし、該上軸Ｂ１の雄歯溝Ｂ１１と下軸Ｂ２の雌歯溝Ｂ２１の間に隙間Ｂ６が生じる。　このとき該上桿５は折畳む、或いは、直立させるべく、調整が終わったら該回転軸Ｂ５を反対方向に回転させる。このとき該上軸Ｂ１は徐々に内側に移動する、即ち該上軸Ｂ１の雄歯溝Ｂ１１と下軸Ｂ２の雌歯溝Ｂ２１とが相互に噛み合い、該関節Ｂが定位置に固定される。
【００１１】
図６，１１，１２に示すように、該制動リングＤ２上には隙間Ｄ７が設けられており、該引き金式ストッパーＤ３を緩ませると該隙間Ｄ７が緩んで開いた状態となる。該制動リングＤ２内には雄ねじＤ４が設けられており、また該伸縮桿Ｄ１には雄ねじＤ５が設けられていることから、該伸縮桿Ｄ１はこれらのねじを利用して上下の移動を行い、高さの調整を行う個所が提供されている。該下桿７上には数個の窓孔７１が設けられており、該伸縮桿Ｄ１が上向き或いは下向きに移動する際、該窓孔７１中から該伸縮桿Ｄ１の最上端標示端Ｄ６の位置が見えるようになっている。高度の調整が終わったら該引き金式ストッパーＤ３を閉じるが、該引き金式ストッパーＤ３は該制動リングＤ２を取り巻いており、該引き金式ストッパーＤ３が閉じられると、該制動リングＤ３の隙間Ｄ７が縮まり、該制動リングＤ２の雄ねじＤ４と該引き金式ストッパーＤ３とに噛み合う力が生まれ、該伸縮桿Ｄ１をしようするとき、使用者よりかかる重量によって、中に入り込んでしまうことがないようになっている。
【００１２】
実際に使用する際にあたり、図１３の折り畳んだ状態を示すように、該折畳み関節Ｂを折畳むときには該上伸縮桿Ｄ１を内側に収縮させ、こうすることで杖全体の長さが約半分になり、また該回転軸Ｂ５が持ち手となって形態や収納に便利になる。
【００１３】
【考案の効果】
本考案によると、折畳みが簡単で収納や形態に便利あるという効果が得られるほか、固定性と強度に優れて安全性が高められ、また、使用時における高度の調節にも力が要らず負傷している人や病人が操作を行うのも容易で快適に使用できるという効果が得られる。
【図面の簡単な説明】
【図１】公知における松葉杖の立体図である。
【図２】本考案全体における立体図である。
【図３】本考案のグリップ部における分解図である。
【図４】本考案の折畳み関節における分解図である。
【図５】本考案の連結個所における分解図である。
【図６】本考案の伸縮桿における分解図である。
【図７】本考案のグリップ部における動作を示す図である（１）。
【図８】本考案のグリップ部における動作を示す図である（２）。
【図９】本考案の折畳み関節における動作を示す図（１）である。
【図１０】本考案の折畳み関節における動作を示す図（２）である。
【図１１】本考案の伸縮桿の動作を示す図（１）である。
【図１２】本考案の伸縮桿の動作を示す図（２）である。
【図１３】本考案の実施例説明図である。
【符号の説明】
１　上桿
１１　固定孔
２　下桿
２１　固定孔
３　伸縮桿
３１　プッシュ引き金式ストッパー
４　グリップ部
４１　ナット
４２　グリップ
４３　ねじ
５　上桿
５１　溝
５２　錨孔
６　Ｙ字型桿
６１　曲折部
７　下桿
７１　窓孔
８　錨
Ａ　グリップ部
Ａ１　ボルト
Ａ２　摺動片
Ａ２１　雄歯溝
Ａ２２　　ボルトホール
Ａ３　固定片
Ａ３１　固定孔
Ａ３２　雌歯溝
Ａ３３　摺動溝
Ａ４　錨
Ａ５　グリップ
Ａ５１　ボルトホール
Ａ５２　グリップ溝
Ａ６　固定回転盤
Ａ７　隙間
Ｂ　折畳み関節部
Ｂ１　上軸
Ｂ１１　雄歯溝
Ｂ１２　上凸桿
Ｂ１３　右ねじ孔
Ｂ１４　左ねじ孔
Ｂ１５　挿孔
Ｂ２　下軸
Ｂ２１　雌歯溝
Ｂ２２　下凸桿
Ｂ２３　挿孔
Ｂ３　右ねじ
Ｂ４　左ねじ
Ｂ５　回転軸
Ｂ６　隙間
Ｃ　結合桿
Ｄ　伸縮桿部
Ｄ１　伸縮桿
Ｄ２　制動リング
Ｄ３　引き金式ストッパー
Ｄ４　雌ねじ
Ｄ５　雄ねじ
Ｄ６　標準端
Ｄ７　隙間
【図１】
0003098689.tif 000003
【図２】
0003098689.tif 000004
【図３】
0003098689.tif 000005
【図４】
0003098689.tif 000006
【図５】
0003098689.tif 000007
【図６】
0003098689.tif 000008
【図７】
0003098689.tif 000009
【図８】
0003098689.tif 000010
【図９】
0003098689.tif 000011
【図１０】
0003098689.tif 000012
【図１１】
0003098689.tif 000013
【図１２】
0003098689.tif 000014
【図１３】
0003098689.tif 000015